(57)【要約】【目的】  本発明の目的は、磁界発生部の脱落を防止し、且つ当該磁界発生部をフレームに簡単に取り付けることができる安価なスピーカーを提供することにある。【構成】  一面にボイスコイル４００及び振動膜５００が取り付けられた板状体であって、ボイスコイル４００等に対向する位置に設けられており且つ他面側が開口１１１を有する嵌合部１１０を有するフレーム１００と、このフレーム１００の嵌合部１１０に嵌まり込む磁界発生部２００と、フレーム１００の嵌合部１１０に取り付けられ、当該嵌合部１１０の開口１１１を閉塞する蓋体３００とを備えている。蓋体３００は嵌合部１１０との間で磁界発生部２００を保持するようになっている。【選択図】      図２
2005354429.tif 000002
【特許請求の範囲】
【請求項１】
一面にボイスコイル及び振動膜が取り付けられた板状体であって、ボイスコイル等に対向する位置に設けられており且つ他面側が開口を有する嵌合部を有するフレームと、このフレームの嵌合部に嵌まり込む磁界発生部とを備えたスピーカーにおいて、前記フレームの嵌合部に取り付けられ、当該嵌合部の開口を閉塞する蓋体を有しており、この蓋体は嵌合部との間で磁界発生部を保持するようになっていることを特徴とするスピーカー。
【請求項２】
請求項１記載のスピーカーにおいて、前記蓋体は前記フレームの嵌合部に超音波溶着により取り付けられるようになっていることを特徴とするスピーカー。
【発明の詳細な説明】
【技術分野】
【０００１】
本発明はイヤホン等に使用される小型のスピーカーに関する。
【背景技術】
【０００２】
この種のスピーカーは、一面にボイスコイル及び振動膜が取り付けられた円盤状のフレームと、このフレームの中央部に開口した嵌合部に他面側から嵌まり込むマグネット等の磁界発生部とを備えている。この磁界発生部はフレームに接着剤で接着したり、フレームに超音波溶着したり、インサート成形( 特許文献１参照) したりすることにより取り付けられている。
【０００３】
【特許文献１】特開２００２−１５２８９５号公報
【発明の開示】
【発明が解決しようとする課題】
【０００４】
ところが、接着剤等の接着による取り付けでは、スピーカーを落とすと、磁界発生部がフレームの嵌合部から脱落し、音圧の低減や、音が出なくなる等の不具合が生じることがある。
【０００５】
超音波溶着による取り付けでは、磁界発生部とフレームの嵌合部との間に溶着スペースを得ることが困難である。即ち、取り付けが困難である。
【０００６】
インサート成形による取り付けでは、磁界発生部の構成部品であるヨークの寸法のバラツキ等により成形不良が生じるため、生産性が悪い。このため、部品精度が要求される。よって、コスト高になる。
【０００７】
本発明は、上記事情に鑑みて創案されたものであって、その目的とするところは、磁界発生部の脱落を防止し、且つ当該磁界発生部をフレームに簡単に取り付けることができる安価なスピーカーを提供することにある。
【課題を解決するための手段】
【０００８】
上記課題を解決するために、本発明のスピーカーは、一面にボイスコイル及び振動膜が取り付けられた板状体であって、ボイスコイル等に対向する位置に設けられており且つ他面側が開口を有する嵌合部を有するフレームと、このフレームの嵌合部に嵌まり込む磁界発生部とを備えたスピーカーであって、前記フレームの嵌合部に取り付けられ、当該嵌合部の開口を閉塞する蓋体を有しており、この蓋体は嵌合部との間で磁界発生部を保持するようになっていることを特徴としている。
【０００９】
前記蓋体は前記フレームの嵌合部に超音波溶着により取り付けられるようになっていることが好ましい。
【発明の効果】
【００１０】
本発明の請求項１に係るスピーカーによる場合、フレームの嵌合部を蓋体で塞ぐようにしたので、落下時に当該フレームの嵌合部から磁界発生部が脱落を防ぐことができ、これにより生じる音圧の低減や、音が出なくなる等の不具合を防止することができる。しかも、磁界発生部は前記蓋体と嵌合部との間で保持されるようになっているので、磁界発生部を嵌合部に嵌合させ、蓋体を嵌合部に取り付けるだけで、磁界発生部を嵌合部に取り付けることができる。従って、従来例と比べて磁界発生部の取り付けを簡単に行うことができるので、低コスト化を図ることができる。
【００１１】
本発明の請求項２に係るスピーカーによる場合、超音波溶着により蓋体をフレームの嵌合部に取り付けることができるので、蓋体をフレームの嵌合部に簡単に取り付けることができる。
【発明を実施するための最良の形態】
【００１２】
以下、本発明の実施の形態に係るスピーカーを図面を参照しながら説明する。図１はスピーカーを示す図であって、( ａ) が正面図、( ｂ) が右側面図、( ｃ) が背面図、図２は概略的Ａ−Ａ断面図、図３は図２のα部分の模式的拡大図であって、( ａ) 溶着前の状態を示す図、( ｂ) が溶着後の状態を示す図である。
【００１３】
図１及び図２に示すスピーカーは、一面にボイスコイル４００及び振動膜５００が取り付けられた板状体であって、ボイスコイル４００等に対向する位置に設けられており且つ他面側が開口１１１を有する嵌合部１１０を有するフレーム１００と、このフレーム１００の嵌合部１１０に嵌まり込む磁界発生部２００と、フレーム１００の嵌合部１１０に取り付けられ、当該嵌合部１１０の開口１１１を閉塞する蓋体３００とを備えている。以下、各部を詳しく説明する。
【００１４】
フレーム１００は中央部に嵌合部１１０が設けられた樹脂製( ここでは、ポリフタルアミド製) の円盤である。このフレーム１００の外周部にはボイスコイル３００と電気接続される外部端子７００が取り付けられる取付部１２０が設けられている。このフレーム１００の一面には、ボイスコイル４００及び振動膜５００が取り付けられ、その上からパッド６００が被せるように取り付けられている。
【００１５】
嵌合部１１０は、フレーム１００の一面側及び他面側に開口１１１、１１２を有する円筒体である。この嵌合部１１０の内周面には磁界発生部２００のヨーク２１０の凸部２１１を係止する係止凸部１１３が内側に向けて設けられている。この係止凸部１１３は、係止された状態の磁界発生部２００の一面と嵌合部１１０の開口１１１の縁部の上面とが面一になる位置に設けられている。
【００１６】
磁界発生部２００は、嵌合部１１０に嵌まり込む略円柱状をしており、ヨーク２１０と、ポールピース２２０と、このヨーク２１０とポールピース２２０との間に介在するマグネット２３０とを有する構成となっている。ヨーク２１０の外周部には嵌合部１１０の係止凸部１１３に当接し係止される凸部２１１が設けられている。これにより磁界発生部２００が嵌合部１１０に嵌まり込んだ状態で保持される。
【００１７】
蓋体３００は断面視逆凹字状の樹脂製( ここでは、フレーム１００と同じポリフタルアミド製) の部品である。この蓋体３００は、図３の( ａ) に示すように、底面の外周部に環状の突出部３１０が一体的に設けられている。この突出部３１０は嵌合部１１０の開口１１１の縁部に当接した状態で超音波を当てると、溶解し、嵌合部１１０に溶着する。これにより蓋体３００は、嵌合部１１０に取り付けられ、当該嵌合部１１０の開口１１１を閉塞する。この蓋体３００は、図３の( ｂ) に示すように、嵌合部１１０を閉塞した状態で磁界発生部２００の一面に当接し、これにより嵌合部１１０との間で磁界発生部２００を保持する。
【００１８】
このようなスピーカーによる場合、フレーム１００の嵌合部１１０が磁界発生部２００を収容した状態で蓋体３００により閉塞されるようになっている。このため、当該スピーカーを落としたときの磁界発生部２００の脱落を防止することができ、これにより生じる音圧の低減や、音が出なくなる等の不具合を防止することができる。しかも、磁界発生部２００は嵌合部１１０と蓋体３００との間で保持されるようになっているので、磁界発生部２００を嵌合部１１０に嵌合させ、超音波溶着を用いて蓋体３００を当該嵌合部１１０に取り付けるだけで、磁界発生部２００を嵌合部１１０に取り付けることができる。従って、従来例の如くインサート成形したり嵌合部１１０に接着剤を塗布したりする必要がなく、簡単に磁界発生部２００を嵌合部１１０に取り付けることができる。その結果、低コスト化を図ることができる。
【００１９】
このスピーカーは、一面にボイスコイル及び振動膜が取り付けられた板状体であって、ボイスコイル等に対向する位置に設けられており且つ他面側が開口を有する嵌合部を有するフレームと、このフレームの嵌合部に嵌まり込む磁界発生部とを備えたスピーカーにおいて、前記フレームの嵌合部に取り付けられ、当該嵌合部の開口を閉塞する蓋体を有しており、この蓋体は嵌合部との間で磁界発生部を保持するようになっている限りどのような設計変更を行ってもかまわない。
【００２０】
ここでは、蓋体３００は超音波溶着により嵌合部１１０に取り付けられるとしたが、接着剤等を用いて取り付けることが可能である。また、蓋体３００に係合部を設ける一方、嵌合部１１０に蓋体３００の係合部を係合する係合部を設けるようにしても良い。
【００２１】
磁界発生部２００は、ヨーク２１０と、ポールピース２２０と、マグネット２３０とを有する構成となっているとしたが、スピーカーの磁気回路としての機能を実現できる限り、どのような構成であっても良い。
【００２２】
なお、フレーム１００、磁界発生部２００及び蓋体３００の形状は、上述した機能を実現可能である限り上記実施例に限定されないことは言う迄もない。
【図面の簡単な説明】
【００２３】
【図１】スピーカーを示す図であって、( ａ) が正面図、( ｂ) が右側面図、( ｃ) が背面図である。
【図２】概略的Ａ−Ａ断面図である。
【図３】図２のα部分の模式的拡大図であって、( ａ) 溶着前の状態を示す図、( ｂ) が溶着後の状態を示す図ある。
【符号の説明】
【００２４】
１００  フレーム
１１０  嵌合部
１１１  開口
２００  磁界発生部
３００  蓋体
【図１】
2005354429.tif 000003
【図２】
2005354429.tif 000004
【図３】
2005354429.tif 000005